(57)【要約】【課題】生産性を向上しながら品質を安定させるターボファンを提供する。【解決手段】ターボファン１のブレード６と吸い込みリング７を嵌合部８と受け部Ａにより接合するようにしたもので、ブレード６の嵌合部８に切り欠き９を設けたので、嵌合部８とリブ１０がある程度であれば平行でなくても吸込みリング７をブレード６に容易に取り付けができ、嵌合部８とリブ１０の応力も緩和できる。また、吸込みリング７のリブ１０のブレード側に誘導部１４を設けたので、吸込みリング７をブレード６に容易に取り付けができ、嵌合部８の付け根１３とリブ１０の付け根１２への応力を少なくすることができるので、生産性を向上しながら品質が安定したターボファンを得ることができる。【選択図】図２
2006029320.tif 000002
【特許請求の範囲】
【請求項１】
主板と吸い込みリングとの間に複数のブレードが配置されて構成されるターボファンにおいて、前記ブレードの吸い込みリングを取り付ける側に嵌合部を形成し、前記吸い込みリングに開口した前記嵌合部と係合する受け部を形成して、前記嵌合部が前記吸い込みリングを貫通することにより前記ブレードと前記吸い込みリングとを固定したことを特徴とするターボファン。
【請求項２】
嵌合部は先端近傍の側面に突起を設け、前記嵌合部を受け部に挿入して前記突起により受け部と係止することを特徴とする請求項１記載のターボファン。
【請求項３】
嵌合部に切り欠きを設けたことを特徴とする請求項１又は２記載のターボファン。
【請求項４】
嵌合部の切り欠きに丸み形状を設けたことを特徴とする請求項３記載のターボファン。
【請求項５】
吸い込みリングの受け部は、嵌合部に合わせて前記吸い込みリングに形成した孔と、その近傍に前記嵌合部との係合方向に立設したリブとにより構成したことを特徴とする請求項１から４のうちいずれか一項記載のターボファン。
【請求項６】
複数のリブにより嵌合部を挟んで係止することを特徴とする請求項５記載のターボファン。
【請求項７】
受け部のリブの付け根側に、嵌合部を誘導する誘導部を設けたことを特徴とするターボファン。
【請求項８】
主板と吸い込みリングとの間に複数のブレードが配置されて構成されるターボファンの製造方法において、前記ブレードの吸い込みリングを取り付ける側に嵌合部を形成し、前記吸い込みリングに開口した前記嵌合部と係合する受け部を形成して、前記嵌合部を前記受け部に挿入して係止することにより、前記ブレードと前記吸い込みリングとを固定することを特徴とするターボファンの製造方法。
【発明の詳細な説明】
【技術分野】
【０００１】
本発明は、たとえば空気調和機に備えられるファンとして用いられるターボファン及びその製造方法に関するものである。
【背景技術】
【０００２】
従来のターボファンについて空気調和機を例にして図６と図７を用いて説明する。図６は、空気調和機の天井埋め込み型室内ユニットの斜視図である。
【０００３】
図６において、室内ユニット１６の送風回路は、吸い込み部１７、エアーフィルタ（図示せず）、熱交換器（図示せず）、ターボファン（図示せず）、吹出し部１８を通過して流れる空気の流通路で構成されている。そこで、ターボファンは電動機（図示せず）と連結されて回転駆動されるようになっている。
【０００４】
図７は、従来のターボファンの斜視図である。ターボファン１は、電動機のシャフト（図示せず）と係合するボス２の外周からホーン状に形成されたテーパー部３と、テーパー部３の外周からボス２の軸方向に直交する方向に円形状部４とからなる主板５と、主板５に任意の間隔を存して設けられる複数のブレード６と、これらブレード６の他端部に架設される吸い込みリング７とから構成される。
【０００５】
また、主板５と複数のブレード６とは一体で射出成形されて、吸い込みリング７は別に成形されており、ターボファン１は吸い込みリング７を複数のブレード６に超音波溶着もしくは接着して得るようになっている（例えば特許文献１参照）。
【特許文献１】特開平７−１０３１８４号公報（第２頁）
【発明の開示】
【発明が解決しようとする課題】
【０００６】
しかしながら、上記従来のターボファン１の構成のように、主板５と複数のブレード６とを一体で射出成形して吸込みリング７を別に成形した後、一体で成形された主板５と複数のブレード６に吸込みリング７を取り付けるために超音波溶着もしくは接着するという方法では、手間とコストがかかるといった課題を有していた。
【０００７】
本発明はこのような従来の課題を解決するものであり、生産性を向上しながら性能も維持する安価なターボファンを提供することを目的とする。
【課題を解決するための手段】
【０００８】
上記課題を解決するために本願発明のターボファンは、主板と吸い込みリングとの間に複数のブレードが配置されて構成されるターボファンにおいて、ブレードの吸い込みリングを取り付ける側に嵌合部を形成し、吸い込みリングにブレードの嵌合部と係合する受け部を形成して、嵌合部を受け部に貫通してブレードと吸い込みリングとを固定したものである。特に嵌合部の先端近傍の側面に突起を設けて切り欠きを有する形状とし、受け部は孔と、嵌合部の係合方向に立設したリブとにより構成して、嵌合部を受け部に挿入して係止したことを特徴とする。
【０００９】
上記構成によって、吸い込みリングをブレードの嵌合部に取り付ける際には、嵌合部を受け部に挿入するだけで容易に位置決めができ、かつ確実に固定できるものとなる。また、嵌合部を切り欠きで分割することにより、それに係合する吸い込みリングのリブがある程度平行でなくても取り付けが可能となり、係合部の応力緩和が可能なので、超音波溶着
もしくは接着という手間が不要になるとともに、品質が安定した安価なターボファンが得られる。
【００１０】
また、本願の他の発明は、ブレードの嵌合部と係合する吸い込みリングのリブのブレード側に、ブレード嵌合部を誘導する形状を有したことを特徴とするもので、吸い込みリングをブレードの嵌合部に取り付ける際に、ブレードの嵌合部が吸い込みリングの誘い込み形状により位置決め及び取り付けがより容易となり、また、吸い込みリングのリブにかかる応力を少なくできるので生産性を向上しながら品質を安定させるターボファンが得られる。
【発明の効果】
【００１１】
本発明のターボファンは、組み立てが容易で生産性を向上しながら、安価で品質が安定したターボファンが得られるという効果を奏する。
【発明を実施するための最良の形態】
【００１２】
第１の発明は、主板と吸い込みリングとの間に複数のブレードが配置されて構成されるターボファンにおいて、ブレードの吸い込みリングを取り付ける側に嵌合部を形成し、吸い込みリングに開口した嵌合部と係合する受け部を形成して、前記嵌合部が前記吸い込みリングを貫通して係止することによりブレードと吸い込みリングとを固定したもので、吸い込みリングの受け部をブレードの嵌合部に嵌め付けるだけで容易に位置決めができて固定できる。
【００１３】
第２の発明は、嵌合部は先端近傍の側面に突起を設け、嵌合部を受け部に挿入して突起により受け部と係止するもので、突起により抜けにくく確実に固定することができる。
【００１４】
第３の発明は、嵌合部に切り欠きを設けたもので、嵌合部を切り欠きで分割することによりねじれなどの裕度を持たせて、受け部への馴染みを良くすることができ、吸込みリングをブレードの嵌合部に取り付ける際にブレードの嵌合部とそれに係合する吸込みリングのリブがある程度であれば平行でなくても取り付けが可能となり、また嵌合部の応力緩和が可能となる。
【００１５】
第４の発明は、特に、第３の発明の切り欠きに丸み形状を設けたもので、ターボファンの回転時に発生する笛吹きのような風切り音を防止することができる。
【００１６】
第５の発明は、吸い込みリングの受け部を、吸い込みリングに形成した孔と、その近傍に嵌合部との係合方向に立設したリブとにより構成したもので、嵌合部とリブとがお互い長さにより弾力を有することにより、係合が滑らかになるとともに確実に固定でき、外すときにも割れ等を起さずに可能となる。
【００１７】
第６の発明は、複数のリブにより嵌合部を挟んで係止するものであり、しなることによって着脱される嵌合部を両側から挟むことによって、より強固に固定するとともに外れにくくすることができる。
【００１８】
第７の発明は、嵌合部と係合する受け部のリブの付け根側に、嵌合部を誘導する誘導部を設けたもので、吸込みリングをブレードの嵌合部に取り付ける際に嵌合部の先端が誘導部の誘い込み形状により位置決めとともに挿入がより容易となり、また吸込みリングのリブにかかる応力を少なくすることができる。
【００１９】
第８の発明は、主板と吸い込みリングとの間に複数のブレードが配置されて構成されるターボファンの製造方法において、ブレードの吸い込みリングを取り付ける側に嵌合部を
形成し、吸い込みリングに開口した嵌合部と係合する受け部を形成して、嵌合部を受け部に挿入して係止することによりブレードと吸い込みリングとを固定する製造方法であり、超音波溶着もしくは接着という手間が不要で、品質が安定した安価なターボファンを得ることができる。
【００２０】
以下、本発明の実施の形態について図面を参照して説明する。また、図６と図７に示した同様の構成要素については同じ図番を付して、その詳細な説明や他の構成要素との結合関係についての説明を省略する。なお、本願発明の実施の形態については空気調和機の天井埋め込み型の室内ユニットに用いられるターボファンを用いた形態について説明するが、本願発明の適用される形態はこれに限定されるものでなく、ブレードに嵌合部を有し吸い込みリングに取り付けるファンであれば、同様の効果を奏するものである。
【００２１】
（実施の形態１）
図１は、本発明の実施の形態１におけるターボファンの斜視図である。図２は、同じく吸い込みリングを取り付ける前のターボファンの斜視図で、図３は、図２のＺ部の要部拡大図である。
【００２２】
ターボファン１は、電動機のシャフト（図示せず）と係合するボス２の外周からホーン状に形成されたテーパー部３と、その外周からボス２の軸方向に直交する方向に円形状部４とからなる主板５と、この円形状部４に任意の間隔で一体形成された複数のブレード６と、これらブレード６の他端部に架設される吸い込みリング７とから構成される。
【００２３】
本実施の形態１におけるターボファン１は、これらのブレード６の吸い込みリング７側には先端を薄くして側面に突起８ａを有する嵌合部８を設け、吸い込みリング７には嵌合部８と係合する受け部Ａとして、孔１０ｂ（図５参照）と、孔１０ｂの前後に嵌合部８の突起８ａの高さに合わせてリブ１０，１０ａとを形成している。そして、受け部Ａの孔１０ｂに嵌合部８を合わせることで容易に位置決めを行い、挿入して突起８ａをリブ１０の先端に係止させることにより、吸い込みリング７をブレード６に密接して固定する構成としている。
【００２４】
また、ブレード６の嵌合部８には係合方向の切り欠き９を設けて分割しており、切り欠き９の周囲には面取りを施した丸み部１１を設けている。
【００２５】
上記のようなブレード６の嵌合部８の構成にすることにより、嵌合部８が切り欠き９によりねじれなどに対する裕度が大きくなるので、ブレード６の嵌合部８と吸い込みリング７のリブ１０との平行度がわずかにずれているときなど、ブレード６に吸い込みリング７を取り付ける際に分割された嵌合部８がリブ１０に馴染むように係合するので、吸い込みリング１０の取り付けが容易で取り付ける力が少なくなるとともに、リブ１０の付け根１２及び嵌合部８の付け根１３にかかる応力が緩和されて残留応力が少なくなり、品質が安定したターボファンを得ることができる。  また、切り欠き９の周囲に丸み部１１を設けることにより、ターボファン１の回転時に発生する笛吹き音のような風切り音を防止することができる。
【００２６】
また、互いに対面した複数のリブ１０，１０ａにより嵌合部８を支持することにより、嵌合部８のしなりを防いで、突起８ａがリブ１０から簡単に外れないようにすることができる。
【００２７】
（実施の形態２）
図４は、本発明の実施の形態２におけるターボファンの正面図であり、図５は、図４のＸ−Ｘ断面の嵌合部近傍をＹ方向から見た断面の要部拡大図を経時的に見たフローである
。ここで、図５（ａ）はブレード６の嵌合部８を吸い込みリング７のリブ１０に係合する前を示す要部拡大図、図５（ｂ）は同じく係合中を示す要部拡大図、図５（ｃ）は同じく係止後を示す要部拡大図である。
【００２８】
吸い込みリング７のリブ１０には付け根１２側の開口１０ｂがわずかに広がるように誘導部１４を設けており、対面のリブ１０ａの下部には面取り部１５を設けている。
【００２９】
上記のような構成にすることにより、図５（ａ）から（ｂ）にてブレード６の嵌合部８が吸い込みリング７のリブ１０の誘導部１４に案内されながら係合されてゆき、図５（ｃ）のように嵌合部８の突起８ａがリブ１０に係止する。このようにして、吸い込みリング７をブレード６への取り付けが挿入するだけの容易なものとなり、生産性を向上するターボファンが得られる。
【００３０】
また、吸い込みリング７のリブ１０とブレード６の嵌合部８と係合する際にリブ１０が開き始めるのは、嵌合部８が誘導部１４をほぼ過ぎてからであり、図５（ｃ）のように係合した後、リブ１０は元の形状に戻りリブの付け根１２にかかる応力は少なくなるので品質が安定したターボファンが得られる。
【００３１】
なお、嵌合部８の丸み部１１の代わりに、Ｃ面取りでも同様な効果であり、また、切り欠き９部の隙間に埋め込み部材を取り付けても同様な効果を得ることができる。また、本実施の形態では切り欠き９を嵌合部８に１ヶ所設けているが、２ヶ所以上でも同様な効果を得ることができる。また、本実施の形態では誘導部１４と面取り部１５の組み合わせであったが、お互いの位置を反対にしてもよいし、誘導部１ヶ所もしくは誘導２ヶ所もしくは面取り部２ヶ所であっても同様な効果を得ることができる。
【００３２】
さらに、嵌合部８を吸い込みリング７の受け部Ａを貫通したのちに係止する方法は、突起部をリブ１０側に設けて嵌合部８側を溝状に形成して係止してもよいし、その他抜け止めとなる部材によって固定する方法などでもよく、特に限定するものではない。
【産業上の利用可能性】
【００３３】
以上のように、本発明にかかるターボファンは、生産性を向上しながら品質を安定させるターボファンが得られるという効果を得ることができるので、吸い込みリングを有しブレードに係合するファン等の用途にも適用でき、特に樹脂製のファンに好適である。
【図面の簡単な説明】
【００３４】
【図１】本発明の実施の形態１におけるターボファンの斜視図
【図２】同実施の形態１における吸い込みリングを取り付ける前のターボファンの斜視図
【図３】図２のＺ部の要部拡大図
【図４】本発明の実施形態２におけるターボファンの正面図
【図５】図４のＸ−Ｘ断面の嵌合部近傍をＹ方向から見た断面を経時的に見たフロー図、（ａ）ブレードの嵌合部を吸い込みリングのリブに係合する前を示す要部拡大図、（ｂ）ブレードの嵌合部と吸い込みリングのリブと係合中を示す要部拡大図、（ｃ）ブレードの嵌合部と吸い込みリングのリブと係合後の断面図
【図６】空気調和機の天井埋め込み型室内ユニットの斜視図
【図７】従来のターボファンの斜視図
【符号の説明】
【００３５】
１  ターボファン
５  主板
６  ブレード
７  吸い込みリング
８  嵌合部
８ａ  突起  ９  切り欠き
１０，１０ａ  リブ
１０ｂ  孔
１１  丸み部
１２  付け根
１４  誘導部
Ａ  受け部
【図１】
2006029320.tif 000003
【図２】
2006029320.tif 000004
【図３】
2006029320.tif 000005
【図４】
2006029320.tif 000006
【図５】
2006029320.tif 000007
【図６】
2006029320.tif 000008
【図７】
2006029320.tif 000009